(57)【要約】【課題】屋外に設けられたコンセントからの電力盗難を防止できる電力供給制御装置を提供する。【解決手段】電力供給制御装置３は、屋外のコンセント部４１の近傍に設けた操作受付部４３にて認証情報の入力を受け付け、入力された認証情報と認証情報記憶部３４に予め記憶された認証情報とが一致するか否かを判断する認証処理を認証処理部３３が行い、認証処理に成功した場合に配電盤２からコンセント部４１までの電力供給経路を接続して電力供給を開始する。また電力供給制御装置３は、コンセント部４１に対するプラグ１１の接続状態を検知する接続検知部４２を有し、電力供給を開始した後であっても、コンセント部４１にプラグ１１が非接続の状態となった場合には、配電盤２からコンセント部４１への電力供給経路を遮断して電力供給を停止する。【選択図】図１
2012080724.tif 000002
【特許請求の範囲】
【請求項１】
給電元装置から屋外に設けられたコンセント部までの電力供給を制御する電力供給制御装置において、
認証情報の入力を受け付ける受付部と、
該受付部が受け付けた認証情報に応じて認証処理を行う認証手段と、
該認証手段が認証に成功した場合に、前記給電元装置から前記コンセント部への電力供給経路を接続する制御を行う制御手段と、
前記コンセント部に対するプラグの接続状態を検知する検知手段と
を備え、
前記制御手段は、前記電力供給経路を接続した後に、前記検知手段が前記コンセント部に対するプラグの非接続状態を検知した場合、前記電力供給経路を遮断するようにしてあること
を特徴とする電力供給制御装置。
【請求項２】
前記給電元装置との間で電力線通信を行う電力線通信手段を備え、
前記検知手段が前記コンセント部に対するプラグの非接続状態を検知した場合に、前記電力線通信手段が前記給電元装置への通知を行うようにしてあること
を特徴とする請求項１に記載の電力供給制御装置。
【請求項３】
外部機器との間で無線通信を行う無線通信手段を備え、
前記検知手段が前記コンセント部に対するプラグの非接続状態を検知した場合に、前記無線通信手段が前記外部機器への通知を行うようにしてあること
を特徴とする請求項１又は請求項２に記載の電力供給制御装置。
【請求項４】
前記コンセント部を囲んで設けられたパネルと、
前記コンセント部、前記受付部又は前記パネルの破壊を検知する第２の検知手段と、
前記給電元装置との間で電力線通信を行う電力線通信手段と
を備え、
前記第２の検知手段が破壊を検知した場合に、前記電力線通信手段が前記給電元装置へ電力供給の停止要求を送信するようにしてあること
を特徴とする請求項１乃至請求項３のいずれか１つに記載の電力供給制御装置。
【発明の詳細な説明】
【技術分野】
【０００１】
本発明は、電気自動車などの充電を行うために自宅の屋外に設けられたコンセントにて、電力盗難などの被害を防止することができる電力供給制御装置に関する。
【背景技術】
【０００２】
近年、モータ及び蓄電装置等を搭載して電力にて走行する電気自動車及びハイブリッド自動車が普及し始めている。ガソリンなどの燃料を動力源とするエンジンを搭載しない電気自動車では、モータによる走行を行うために、外部の電源から蓄電装置への充電を行う必要がある。またエンジンを搭載したハイブリッド自動車であっても、外部電源からの蓄電装置への充電を可能とした車輌がある。このような車輌においては、ユーザが車輌と外部電源とを充電ケーブルにて接続することによって、外部電源から車輌の蓄電装置への充電が行われるため、ユーザが自宅にて車輌の充電を行うためには、駐車場又はその近傍に充電ケーブルを接続するためのコンセントを設ける必要がある。
【０００３】
特許文献１においては、コンセント及びプラグの差し込み状態の検出を行い、コンセントにプラグが完全に差し込まれていないことが検出された場合に、この旨を使用者に対して報知することができるコンセントプラグシステムが提案されている。このシステムは、コンセントにプラグが完全に差し込まれていない状態で放置されることが原因で発生する火災を防止することができる。
【先行技術文献】
【特許文献】
【０００４】
【特許文献１】特開２００６−７３４２６号公報
【発明の概要】
【発明が解決しようとする課題】
【０００５】
ユーザが自宅駐車場で電気自動車などを充電するためにコンセントを設ける場合、駐車場は必ずしも閉鎖された空間であるとは限らないため、コンセントが屋外に露出した状態となる可能性がある。このような屋外コンセントは、ユーザ以外であってもプラグを差し込んで利用することができるため、電力盗難の虞がある。特許文献１に記載の発明は、コンセントにプラグが完全に差し込まれていない場合に報知を行うものであり、電力盗難を防止し得るものではない。
【０００６】
本発明は、斯かる事情に鑑みてなされたものであって、その目的とするところは、屋外に設けられたコンセントからの電力盗難を防止できる電力供給制御装置を提供することにある。
【課題を解決するための手段】
【０００７】
本発明に係る電力供給制御装置は、給電元装置から屋外に設けられたコンセント部までの電力供給を制御する電力供給制御装置において、認証情報の入力を受け付ける受付部と、該受付部が受け付けた認証情報に応じて認証処理を行う認証手段と、該認証手段が認証に成功した場合に、前記給電元装置から前記コンセント部への電力供給経路を接続する制御を行う制御手段と、前記コンセント部に対するプラグの接続状態を検知する検知手段とを備え、前記制御手段は、前記電力供給経路を接続した後に、前記検知手段が前記コンセント部に対するプラグの非接続状態を検知した場合、前記電力供給経路を遮断するようにしてあることを特徴とする。
【０００８】
また、本発明に係る電力供給制御装置は、前記給電元装置との間で電力線通信を行う電力線通信手段を備え、前記検知手段が前記コンセント部に対するプラグの非接続状態を検知した場合に、前記電力線通信手段が前記給電元装置への通知を行うようにしてあることを特徴とする。
【０００９】
また、本発明に係る電力供給制御装置は、外部機器との間で無線通信を行う無線通信手段を備え、前記検知手段が前記コンセント部に対するプラグの非接続状態を検知した場合に、前記無線通信手段が前記外部機器への通知を行うようにしてあることを特徴とする。
【００１０】
また、本発明に係る電力供給制御装置は、前記コンセント部を囲んで設けられたパネルと、前記コンセント部、前記受付部又は前記パネルの破壊を検知する第２の検知手段と、前記給電元装置との間で電力線通信を行う電力線通信手段とを備え、前記第２の検知手段が破壊を検知した場合に、前記電力線通信手段が前記給電元装置へ電力供給の停止要求を送信するようにしてあることを特徴とする。
【００１１】
本発明においては、例えば屋内に設けられた配電盤などの給電元装置から、屋外に露出して設けられたコンセント部に接続された外部機器への電力供給を制御する電力供給制御装置を設ける。電力供給制御装置は、給電元装置からコンセント部までの電力供給経路を接続／遮断することによって、コンセント部に接続された外部機器への電力供給を制御する。
コンセント部の近傍などには、ユーザ認証のための認証情報の入力を受け付ける受付部を設ける。受付部は、例えば暗証番号を入力するためのテンキーなどであってよく、また例えば指紋認証又は静脈認証等の生体認証に必要な情報を取得する装置であってもよい。電力供給制御装置は、入力された認証情報に基づいて認証処理を行い、認証に成功した場合にのみ給電元装置からコンセント部への電力供給経路を接続し、コンセント部に接続された外部機器への電力供給を行う。これにより、正しい認証情報を入力し得る正規のユーザのみがコンセント部を利用して給電を受けることができる。
また電力供給制御装置には、コンセント部に対するプラグの接続状態を検知する手段を設け、認証に成功して電力供給を開始した後であっても、コンセント部にプラグが非接続の状態となった場合には、給電元装置からコンセント部への電力供給経路を遮断し、外部機器への電力供給を停止する。これにより、電力供給を再開するためには認証情報を再入力しなければならないため、認証に一旦成功して電力供給が開始された後に、悪意を有する他人によってコンセント部に接続するプラグが交換されて電力盗難が行われることを防止できる。
【００１２】
また、電気自動車などの充電には時間がかかるため、充電中にユーザが車輌及びコンセント部を離れる可能性が高く、ユーザが離れた後で、悪意を有する他人がコンセント部からプラグを抜き取る悪戯を行う虞がある。このような場合、車輌が未充電の状態で放置されるため、電気自動車の次回の走行に支障をきたすという問題がある。
そこで本発明においては、電力供給制御装置が給電元装置との間で電力線通信を行い、コンセント部にプラグが非接続の状態となった場合には、給電元装置への通知を電力線通信により行う。これにより給電元装置では、ユーザへ報知するなどの処理を行うことができる。
【００１３】
また、本発明においては、電力供給制御装置が外部機器との間で無線通信を行う。通信相手の外部機器は、例えば車輌であってもよく、屋内に設置された通信器であってもよく、ユーザが所持する可搬型の通信器であってもよい。電力供給制御装置は、コンセント部にプラグが非接続の状態となった場合に、無線通信によって外部機器へ通知を行う。これによりプラグの非接続状態を確実にユーザへ知らせることができる。
【００１４】
また、上述のように認証処理の可否に応じて電力供給を行う構成としても、電力供給制御装置が破壊された場合には、給電元装置と電力供給制御装置との間の電力ケーブルなどから直接的に電力盗難が行われる虞がある。
そこで本発明においては、コンセント部、受付部又はコンセント部を囲む（又は覆う）パネルに対する破壊を検知する手段を電力供給制御装置に設ける。例えばこれら各部に対して加えられた衝撃を検知するセンサなどを用いて破壊検知を行うことができ、また例えばこれら各部が装置本体から取り外されたことを電気的又は機械的に検知することで破壊検知を行うことができる。
電力供給制御装置は、これら各部の破壊を検知した場合、電力線通信によって給電元装置へ電力供給の停止要求を送信する。これにより給電元装置は電力供給を停止でき、給電元装置と電力供給制御装置との間の電力ケーブルなどから電力盗難が行われることを防止できる。
【発明の効果】
【００１５】
本発明による場合は、給電元装置から屋外のコンセント部まで電力供給を制御する電力供給制御装置が、ユーザからの認証情報の入力を受け付けて認証処理を行い、認証処理に成功した場合にのみ給電元装置からコンセント部への電力供給経路を接続し、電力供給開始後であってもコンセント部に対するプラグの非接続を検知した場合には電力供給経路を遮断する構成とすることにより、認証に一旦成功して電力供給が開始された後に、悪意を有する他人によってコンセント部に接続するプラグが交換されて電力盗難が行われることを防止できる。よって本発明の電力供給制御装置を用いることによって、屋外に設けられたコンセントからの電力盗難を確実に防止できる。
【図面の簡単な説明】
【００１６】
【図１】本発明に係る電力供給制御装置の構成を示すブロック図である。
【図２】本発明に係る電力供給制御装置の外観を示す模式図である。
【図３】本発明に係る電力供給制御装置の構成を示す模式的断面図である。
【図４】本発明に係る電力供給制御装置が行う電力供給制御処理の手順を示すフローチャートである。
【図５】本発明に係る電力供給制御装置が行う電力供給制御処理の手順を示すフローチャートである。
【図６】本発明に係る電力供給制御装置が行う電力供給制御処理の手順を示すフローチャートである。
【図７】変形例に係る電力供給制御装置の構成を示すブロック図である。
【発明を実施するための形態】
【００１７】
以下、本発明をその実施の形態を示す図面に基づき具体的に説明する。図１は、本発明に係る電力供給制御装置の構成を示すブロック図である。なお、図１においては電力供給経路を太線で示し、信号伝達経路を細線の矢印で示す。また図２は、本発明に係る電力供給制御装置の外観を示す模式図である。図３は、本発明に係る電力供給制御装置の構成を示す模式的断面図であり、図２のＩＩＩ−ＩＩＩ線による断面である。
【００１８】
図において１は、電気自動車又はハイブリッド自動車等の車輌である。車輌１は、充電ケーブル１０を介して外部電源（商用交流電源など）に接続され、外部電源からの電力供給によりバッテリ（図示は省略する）の充電を行い、バッテリに蓄積した電力によりモータを駆動して走行を行うことができる。充電ケーブル１０は、車輌１に内蔵されるものであってもよく、車輌１に着脱可能なものであってもよいが、一端にはプラグ１１が設けられている。車輌１のユーザは、自宅の駐車場などに車輌１を駐車した後、充電ケーブル１０のプラグ１１を駐車場周辺などの屋外に設けられたコンセント部４１に接続することによって、車輌１の充電を行うことができる。
【００１９】
コンセント部４１は、屋内などに設けられた配電盤２に電力線を介して接続されており、商用交流電源などからの電力が配電盤２からコンセント部４１へ供給され、コンセント部４１に接続された充電ケーブル１０を介して車輌１へ供給される。ただし本発明では、配電盤２からコンセント部４１への電力供給経路中に電力供給制御装置３が介在しており、電力供給制御装置３が電力供給経路の接続／遮断を制御している。
【００２０】
電力供給制御装置３は、コンセント部４１を囲んで（又は覆って）設けられるコンセントパネル４０と、このコンセントパネル４０に設けられた操作受付部４３とを有している。コンセントパネル４０、コンセント部４１及び操作受付部４３は、駐車場周辺の壁面などの屋外に露出して、一体的に設けられる。コンセント部４１には、充電ケーブル１０のプラグ１１の接続を検知する接続検知部４２が設けられている。また電力供給制御装置３は、屋外に露出しない構成要素として制御部３１、電力線通信部３２、認証処理部３３、認証情報記憶部３４及び破壊検知部３５を有しており、これらの構成要素はコンセントパネル４０が設けられる壁の内部などに埋設されている。
【００２１】
コンセントパネル４０は、略長方形の板状をなしており、その一面が屋外に露出するように、駐車場周辺の壁面などに設けられる。コンセントパネル４０内には、暗証番号などの入力を行うための複数のキーを有する操作受付部４３と、充電ケーブル１０のプラグ１１を接続するコンセント部４１とが上下又は左右等に並べて配されている。
【００２２】
操作受付部４３は、図２に示す例では、複数のプッシュ式のスイッチを並設してテンキーなどを構成した態様であるが、メッセージ表示などのための液晶パネルを更に備えてもよく、タッチパネルを用いた構成であってもよい。また暗証番号の入力による認証処理に代えて、指紋認証又は静脈認証等の生体認証を行う場合には、操作受付部４３に生体情報を取得するためのセンサを備えてもよい。
【００２３】
コンセント部４１は、プラグ１１に設けられた２〜３本の棒状の金属製端子が挿入される２〜３個の挿入穴４１ａを有している。挿入穴４１ａの内部には、プラグ１１の金属製端子に嵌合する形状の金属製端子４１ｂがそれぞれ設けられており、金属製端子４１ｂは電力供給経路に接続されている。これによりユーザは、プラグ１１の金属製端子をコンセント部４１の挿入穴４１ａに挿入して金属製端子４１ｂに嵌合させることによって、充電ケーブル１０を電力供給経路に接続することができる。
【００２４】
またコンセント部４１には、挿入穴４１ａのいずれか１つの奥方に、プラグ１１の金属製端子の接続状態を検知する接続検知部４２が設けられている。接続検知部４２は、例えばプラグ１１の金属製端子の先端部分が挿入される凹部を設け、この凹部の内面の所定箇所に発光素子を設け、反対箇所に受光素子を設けて、凹部内に金属製端子が挿入された場合に発光素子から受光素子への光が遮断されることを検知する構成（いわゆるフォトインタラプタ）とすることができる。
【００２５】
またコンセントパネル４０の背面などには、破壊検知部３５が設けられている。破壊検知部３５は、コンセントパネル４０、コンセント部４１及び操作受付部４３等に対する破壊を検知するセンサである。破壊検知部３５は、例えばコンセントパネル４０などに対して加えられた衝撃を検知するセンサにて実現することができ、また例えばコンセントパネル４０が壁面などから引き剥がされた場合などに作動する機械式接点などにて実現することができる。
【００２６】
電力供給制御装置３の制御部３１、電力線通信部３２、認証処理部３３及び認証情報記憶部３４等は、コンセント部４１の背面側などに配された回路基板３０上の回路として実現される。図３において図示は省略するが、コンセント部４１、接続検知部４２、操作受付部４３及び破壊検知部３５は、電力線又は信号線等を介して回路基板３０に電気的に接続されている。接続検知部４２の検知結果及び破壊検知部３５の検知結果は制御部３１へ与えられ、操作受付部４３が入力を受け付けた情報は認証処理部３３へ与えられる。
【００２７】
認証情報記憶部３４は、ＥＥＰＲＯＭ（Electrically Erasable Programmable Read Only Memory）又はフラッシュメモリ等の不揮発性のメモリ素子で構成され、認証処理に必要な認証情報が予め記憶されている。認証情報記憶部３４が記憶する認証情報は、例えば暗証番号又はパスワード等のような数字又は文字を組み合わせた情報であってよく、また例えば指紋又は静脈の画像情報などであってよい。
【００２８】
認証処理部３３は、操作受付部４３にてユーザが入力した認証情報が与えられており、入力された認証情報と認証情報記憶部３４に予め記憶された認証情報とが一致するか否かを判定する認証処理を行う。認証処理部３３は、両認証情報が一致した場合に認証成功を制御部３１へ通知し、両認証情報が一致しない場合に認証失敗を制御部３１へ通知する。
【００２９】
制御部３１は、配電盤２からコンセント部４１までの電力供給経路に配され、この電力供給経路の接続／遮断の制御を行うものである。このため制御部３１は、電力供給経路中に配された機械式リレー又は半導体素子等のスイッチと、このスイッチの開閉を制御するＣＰＵ（Central Processing Unit）などの処理回路とを備えている。制御部３１は、認証処理部３３から与えられる認証処理結果、接続検知部４２から与えられるプラグ１１の接続状態の検知結果、及び、破壊検知部３５から与えられる破壊の有無の検知結果に応じて、電力供給経路の切断／遮断を行う。また更に制御部３１は、電力線通信部３２を介して配電盤２との間で通信を行うことができる。
【００３０】
電力線通信部３２は、制御部３１及び配電盤２の間の電力線に接続され、この電力線を介して配電盤２との間で通信を行う。電力線通信部３２は、制御部３１から与えられたデータを変調した信号を電力線に重畳することで送信を行うと共に、電力線に重畳された信号を抽出して復調することで受信を行い、受信したデータを制御部３１へ与える。図示は省略するが、配電盤２には同様の電力線通信部が設けられると共に、給電制御装置３からの受信データに応じて警報を発する手段、及び給電制御装置３への電力供給を停止する制御を行う手段等が備えられている。
【００３１】
車輌１の充電を行う場合に、ユーザは、車輌１に接続された充電ケーブル１０のプラグ１１をコンセント部４１に接続した後、操作受付部４３から暗証番号の入力などを行って認証処理を行う。認証処理に成功した場合、コンセント部４１に電力が供給され、充電ケーブル１０を介して車輌１へ電力が供給され、車輌１のバッテリが充電される。
【００３２】
電力供給制御装置３１の制御部３１は、配電盤２からコンセント部４１への電力供給経路を遮断してスリープ状態となって待機しており、操作受付部４３に対する操作がなされた場合又はコンセント部４１にプラグ１１が接続された場合（接続状態検知部４２が接続を検知した場合）に起動する。その後、制御部３１は、認証処理部３３から認証成功の通知が与えられ、且つ、接続検知部４２がプラグ１１の接続を検知している場合に、配電盤２からコンセント部４１への電力供給経路を接続し、車輌１への電力供給を開始する。
【００３３】
電力供給経路の接続を行って電力供給を開始した後、制御部３１は、接続検知部４２から与えられる検知結果を監視しており、コンセント部４１からプラグ１１が外された場合（コンセント部４１に対するプラグ１１の非接続状態が検知された場合）、配電盤２からコンセント部４１への電力供給経路を遮断して、電力供給を停止する。またこのとき制御部３１は、電力線通信部３２によって電力供給を停止した旨を配電盤２へ通知する。この通知を受信した配電盤２は、スピーカなどによる警告音若しくは音声メッセージ等の出力、ランプなどの点灯、又は、液晶パネルなどへのメッセージ表示などにより、ユーザに対する警告を行う。
【００３４】
また制御部３１は、破壊検知部３５から与えられる検知結果を監視しており、コンセントパネル４０、コンセント部４１又は操作受付部４３等が破壊された場合（破壊が検知された場合）、配電盤２からコンセント部４１への電力供給経路を遮断して、電力供給を停止する。またこのとき制御部３１は、電力線通信部３２によって電力供給の停止要求を配電盤２へ送信する。電力供給停止要求を受信した配電盤２は、給電制御装置３への電力供給を停止する。
【００３５】
図４〜図６は、本発明に係る電力供給制御装置３が行う電力供給制御処理の手順を示すフローチャートである。なお、図４にはコンセント部４１への電力供給が行われていない状態から電力供給開始までの手順を示し、図５には電力供給開始後の手順を示してある。また、図６には電力供給を行っているか否かに関わらず電力供給制御装置３が行う処理の手順を示してある。
【００３６】
電力供給制御装置３の制御部３１は、配電盤２からコンセント部４１への電力供給経路を遮断してスリープ状態となっている間、操作受付部４３に対する認証情報の入力が行われたか否かを判定しており（ステップＳ１）、認証情報が入力されていない場合（Ｓ１：ＮＯ）、認証情報の入力が行われるまで待機する。認証情報が入力された場合（Ｓ１：ＹＥＳ）、制御部３１は、接続検知部４２の検知結果を調べることにより、コンセント部４１にプラグ１１が接続された状態であるか否かを判定する（ステップＳ２）。コンセント部４１にプラグ１１が接続されていない場合（Ｓ２：ＮＯ）、制御部３１は、電力供給を行うことなく処理を終了し、スリープ状態として待機する。
【００３７】
コンセント部４１にプラグ１１が接続されている場合（Ｓ２：ＹＥＳ）、制御部３１は、認証処理部３３にて認証処理を行わせる。このとき認証処理部３３は、認証情報記憶部３４から予め記憶された認証情報を読み出し（ステップＳ３）、操作受付部４３にて入力された認証情報と、認証情報記憶部３４から読み出した認証情報とが一致するか否かを判定する認証処理を行って（ステップＳ４）、認証処理の結果を制御部３１へ与える。制御部３１は、認証処理部３３から認証処理が成功したか否かを判定する（ステップＳ５）。認証処理に失敗した場合（Ｓ５：ＮＯ）、制御部３１は、電力供給を行うことなく処理を終了し、スリープ状態として待機する。認証処理に成功した場合（Ｓ５：ＹＥＳ）、制御部３１は、配電盤２からコンセント部４１への電力供給経路を接続し（ステップＳ６）、電力供給を開始して処理を終了し、図５に示すフローチャートの処理を開始する。
【００３８】
電力供給の開始後、電力供給制御装置３の制御部３１は、接続検知部４２の検知結果を調べることにより、コンセント部４１にプラグ１１が接続された状態であるか否かを判定し（ステップＳ２１）、プラグ１１が接続されている場合（Ｓ２１：ＹＥＳ）、ステップＳ２１へ処理を戻し、電力供給を継続して行う。プラグ１１が接続されていない場合（Ｓ２１：ＮＯ）、即ちコンセント部４１からプラグ１１が取り外された場合、制御部３１は、配電盤２からコンセント部４１への電力供給経路を遮断して（ステップＳ２２）、電力供給を停止すると共に、電力線通信部３２を介した電力線通信により配電盤２へ電力供給経路の遮断を通知し（ステップＳ２３）、処理を終了する。その後、制御部３１はスリープ状態へ遷移すればよい。
【００３９】
また、電力供給制御装置３の制御部３１は、破壊検知部３５の検知結果を調べることにより、コンセントパネル４０、コンセント部４１及び操作受付部４３等が破壊されたか否かを判定し（ステップＳ３１）、コンセントパネル４０等に対する破壊がなされていない場合（Ｓ３１：ＮＯ）、ステップＳ３１へ処理を戻し、電力供給を継続して行う。コンセントパネル４０等に対する破壊がなされた場合（Ｓ３１：ＹＥＳ）、制御部３１は、配電盤２からコンセント部４１への電力供給経路を遮断して（ステップＳ３２）、電力供給を停止すると共に、電力線通信部３２を介した電力線通信により配電盤２へ電力供給の停止要求を送信し（ステップＳ３３）、処理を終了する。
【００４０】
以上の構成の電力供給制御装置３は、屋外のコンセント部４１の近傍に操作受付部４３を設けて認証情報の入力を受け付け、入力された認証情報と認証情報記憶部３４に予め記憶された認証情報とが一致するか否かを判断する認証処理を認証処理部３３が行い、認証処理に成功した場合に配電盤２からコンセント部４１までの電力供給経路を接続して電力供給を開始する構成とすることにより、正しい認証情報を入力し得る正規のユーザのみがコンセント部４１を利用して電力供給を受けることができる。また電力供給制御装置３は、コンセント部４１に対するプラグ１１の接続状態を検知する接続検知部４２を有し、電力供給を開始した後であっても、コンセント部４１にプラグ１１が非接続の状態となった場合には、配電盤２からコンセント部４１への電力供給経路を遮断して電力供給を停止する構成とすることにより、電力供給を再開するためには認証処理を再び行って成功する必要があるため、認証処理に一旦成功して電力供給が開始された後に、悪意を有する他人によってコンセント部４１に接続するプラグ１１が交換されて電力盗難が行われることを防止できる。
【００４１】
また、電力供給制御装置３は、電力供給開始後にコンセント部４１に対するプラグ１１の非接続が検知された場合、電力供給を停止した旨を電力線通信部３２を介した電力線通信により配電盤２へ通知する構成とすることにより、車輌１の充電中にプラグ１１が抜き取られる悪戯などがなされた場合であっても、ユーザへの通知を行うことができる。
【００４２】
また、電力供給制御装置３は、コンセントパネル４０、コンセント部４１及び操作受付部４３等に対する破壊を破壊検知部３５が検知した場合に、配電盤２からコンセント部４１への電力供給経路を遮断して電力供給を停止すると共に、電力線通信部３２を介した電力線通信により配電盤２へ電力供給停止要求を送信する構成とすることにより、コンセントパネル４０等が破壊されて電力ケーブルなどから直接的に電力盗難が行われることを防止できる。
【００４３】
なお、本実施の形態においては、コンセント部４１が１つのみ設けられた構成を示したが、これに限るものではなく、複数のコンセント部４１が屋外に設けられる構成であってもよい。この場合、電力供給制御装置３は、認証処理及びプラグ１１の接続検知等を各コンセント部４１について個別に行うことが望ましい。
【００４４】
（変形例）
図７は、変形例に係る電力供給制御装置の構成を示すブロック図である。変形例に係る電力供給制御装置１０３は、図１に示した電力供給制御装置３に無線通信部１３６を追加した構成である。無線通信部１３６は、無線電波の送受信用アンテナなどを有しており、屋内などに設けられた無線通信器５との間で無線通信を行うことができる。無線通信部１３６は、制御部３１から与えられたデータを変調した信号を無線送信すると共に、アンテナにて受信した信号を復調して制御部３１へ与える処理を行う。
【００４５】
電力供給制御装置１０３の制御部３１は、電力供給開始後に接続検知部４２にてコンセント部４１に対するプラグ１１の非接続が検知された場合に、電力供給経路を遮断して電力線通信部３２による配電盤２への通知を行うと共に、無線通信部１３６による無線通信器５への通知を行う。また制御部３１は、破壊検知部３５がコンセントパネル４０、コンセント部４１又は操作受付部４３等の破壊を検知した場合に、無線通信部１３６による無線通信器５への通知を行う。これらにより、屋外のコンセント部４１等にて異常が発生した場合に、無線通信器５を介してユーザに異常を通知することができる。
【００４６】
なお、無線通信器５は、例えば屋内に設置された機器であってもよく、車輌１に搭載された車載機器であってもよく、又は、ユーザが持ち運ぶことができる可搬型の機器であってもよい。また無線通信部１３６は、携帯電話網を介してユーザが所持する携帯電話器などの無線通信器５と通信を行う構成であってもよい。
【符号の説明】
【００４７】
１  車輌
２  配電盤
３  電力供給制御装置
５  無線通信器
１０  充電ケーブル
１１  プラグ
３１  制御部（制御手段）
３２  電力線通信部（電力線通信手段）
３３  認証処理部（認証手段）
３４  認証情報記憶部
３５  破壊検知部
４０  コンセントパネル
４１  コンセント部
４２  接続検知部（検知手段）
４３  操作受付部（受付部）
１０３  電力供給制御装置
１３６  無線通信部（無線通信手段）
【図１】
2012080724.tif 000003
【図２】
2012080724.tif 000004
【図３】
2012080724.tif 000005
【図４】
2012080724.tif 000006
【図５】
2012080724.tif 000007
【図６】
2012080724.tif 000008
【図７】
2012080724.tif 000009